(57)【要約】【課題】プリント基板の形状を変更しても、バックライトユニットのリアフレームの形状を変更することなく、必要最小限の変更でプリント基板をリアフレームに固定可能にすることを目的とする。【解決手段】本発明に係る液晶表示装置は、リアフレーム標準台座１１が一体的に設けられたリアフレーム５を備えるバックライトユニット３と、リアフレーム５と別部品として構成され、リアフレーム５に固定されるリアフレーム専用台座１２とを備える。そして、リアフレーム標準台座１１、リアフレーム専用台座１２を介してリアフレーム５に固定されるプリント基板４を備える。【選択図】図１
2009058731.tif 000002
【特許請求の範囲】
【請求項１】
第１の台座が一体的に設けられたフレームを備えるバックライトユニットと、
前記フレームと別部品として構成され、前記フレームに固定される第２の台座と、
前記第１、第２の台座を介して前記フレームに固定されるプリント基板とを備える、
表示装置。
【請求項２】
前記第２の台座は、
溶接により前記フレームに固定された、
請求項１に記載の表示装置。
【請求項３】
前記第２の台座は、
貫通穴が設けられており、
前記フレームの表面には、
前記第２の台座の前記貫通穴に挿入可能な突起が設けられた、
請求項１または請求項２に記載の表示装置。
【請求項４】
前記突起は、
前記フレームに前記第２の台座をかしめにて固定可能なカシメ用突起を含む、
請求項３に記載の表示装置。
【請求項５】
前記フレームには、
貫通穴が設けられており、
前記第２の台座には、
前記フレームの前記貫通穴に挿入可能な突起が設けられた、
請求項１または請求項２に記載の表示装置。
【発明の詳細な説明】
【技術分野】
【０００１】
本発明は、バックライトユニットを備える表示装置に関するものである。
【背景技術】
【０００２】
従来の液晶表示装置では、バックライトユニットのリアフレームにプリント基板（Printed Circuit Board：以下、ＰＣＢ）が固定される。特許文献１には、接着テープなどの接着部材により、リアフレームにＰＣＢを固定する液晶表示装置が記載されている。
【０００３】
一方、ネジ止めにより、リアフレームにＰＣＢを固定する液晶表示装置が提案されている。このような液晶表示装置では、リアフレームに設けたリアフレーム台座を介して、ＰＣＢをリアフレームにネジ止めし、固定している。
【０００４】
【特許文献１】特開２００２−２５８３１７号公報
【発明の開示】
【発明が解決しようとする課題】
【０００５】
従来のネジ止め固定を用いる液晶表示装置では、製品の仕様変更などによってＰＣＢの形状が変わる度に、リアフレーム台座の形状を変更する必要があった。しかしながら、このリアフレーム台座は、リアフレームに一体的に設けられているため、リアフレーム台座の形状を変更する度に、リアフレームの金型全体に係わる範囲で新規製作もしくは改造が必要となるという問題があった。
【０００６】
本発明は、上記のような問題点を解決するためになされたものであり、ＰＣＢの形状を変更しても、バックライトユニットのリアフレームの形状を変更することなく、必要最小限の変更でＰＣＢをリアフレームに固定可能にすることを目的とする。
【課題を解決するための手段】
【０００７】
請求項１に係る表示装置は、第１の台座が一体的に設けられたフレームを備えるバックライトユニットと、前記フレームと別部品として構成され、前記フレームに固定される第２の台座と、前記第１、第２の台座を介して前記フレームに固定されるプリント基板とを備える。
【発明の効果】
【０００８】
本発明の表示装置によれば、プリント基板の形状を変更しても、バックライトユニットのフレームの形状を変更することなく、第２の台座だけの必要最小限の変更でプリント基板をフレームに固定することができる。
【発明を実施するための最良の形態】
【０００９】
＜実施の形態１＞
本発明に係る表示装置は液晶表示装置であるものとして以下説明する。本実施の形態に係る液晶表示装置について説明する前に、この発明の前提となる液晶表示装置について説明する。図５は、この発明の前提となる液晶表示装置を示す分解斜視図である。この図に示すように、この発明の前提となる液晶表示装置は、フロントフレーム１と、液晶パネル２と、バックライトユニット３と、プリント基板（ＰＣＢ）４とを備える。液晶パネル２は、ＴＣＰ（Tape Carrier Package）６を備える。
【００１０】
図６は、この発明の前提となる液晶表示装置の端部の断面図である。図に示すように、バックライトユニット３は、リアフレーム５と、ミドルフレーム８と、光源９と、導光板１０とを備える。リアフレーム５には、液晶パネル２と反対側にリアフレーム台座７が一体的に設けられている。ＰＣＢ４は、ＴＣＰ６を介して、液晶パネル２と接続される。このＰＣＢ４は、リアフレーム台座７を介して、固定ネジを用いたネジ止めにより、リアフレーム５に固定される。
【００１１】
以上のような液晶表示装置では、ＰＣＢ４の形状に合わせて、リアフレーム台座７の形状が設定される。このように、リアフレーム台座７は、リアフレーム５に一体的に設けられているため、ＰＣＢ４の形状を変更する度に、リアフレーム５の形状を変更し、リアフレーム５の金型全体を新規作成もしくは改造する必要があった。
【００１２】
次に、本実施の形態に係る液晶表示装置について説明する。図１は、本実施の形態に係る液晶表示装置を示す分解斜視図である。この図に示すように、本実施の形態に係る液晶表示装置は、リアフレーム５を備えるバックライトユニット３と、リアフレーム専用台座１２と、プリント基板（ＰＣＢ）４とを備える。また、本実施の形態に係る液晶表示装置は、図示しないが、上述のこの発明の前提となる液晶表示装置と同様、液晶パネルと、ＴＣＰとをさらに備える。
【００１３】
バックライトユニット３が備えるフレームであるリアフレーム５には、第１の台座であるリアフレーム標準台座１１が一体的に設けられている。本実施の形態に係るリアフレーム標準台座１１は、個々のＰＣＢ４の形状に左右されないものであって、液晶パネルと反対側に設けられている。
【００１４】
第２の台座であるリアフレーム専用台座１２は、個々のＰＣＢ４の形状に対応したものであって、リアフレーム５と別部品として構成され、リアフレーム５に固定される。このリアフレーム専用台座１２の形状は、ＰＣＢ４をネジ止め固定でき、かつ、強度を確保できさえすればよく、複雑でない形状、例えば、単純な曲げ形状や絞り形状であってもよい。
【００１５】
本実施の形態に係るリアフレーム専用台座１２は、図１に示すように、貫通穴である位置決め用穴１４が設けられている。図１では、位置決め用穴１４は、２箇所設けられているが、これに限ったものではなく、１箇所以上、設けられていればよい。また、このリアフレーム専用台座１２は、本実施の形態では、溶接によりリアフレーム５に固定される。図１は、溶接の一例として、溶接箇所１５を３箇所設けた例を示している。
【００１６】
本実施の形態では、リアフレーム５の表面には、リアフレーム専用台座１２の位置決め用穴１４に挿入可能な突起である位置決め用突起１３が設けられている。この位置決め用突起１３は、リアフレーム専用台座１２の位置決め用穴１４と同数に設けられる。
【００１７】
プリント基板（ＰＣＢ）４は、リアフレーム標準台座１１、リアフレーム専用台座１２を介してリアフレーム５に固定される。本実施の形態では、ＰＣＢ４のネジ止め位置と、リアフレーム専用台座１２のネジ止め位置は、固定ネジ１６によりネジ止め固定される。本実施の形態に係るＰＣＢ４は、図示しない液晶表示パネルを駆動するものであり、図示しないＴＣＰを介して液晶パネルと接続される。
【００１８】
以上のような液晶表示装置において、ＰＣＢ４をリアフレーム５に固定する手順を図２を用いて説明する。まず、図２（ａ）に示すように、リアフレーム５と、リアフレーム専用台座１２と、ＰＣＢ４と、固定ネジ１６を準備する。そして、図２（ａ）に示す矢印のように、リアフレーム専用台座１２の位置決め用穴１４に、リアフレーム５の位置決め用突起１３を挿入し、リアフレーム専用台座１２をリアフレーム５に重ねる。この位置決め用突起１３と位置決め用穴１４により、リアフレーム専用台座１２を、リアフレーム５の所定の位置に合わせることができる。
【００１９】
次に、図２（ｂ）に示すように、リアフレーム専用台座１２と、リアフレーム５を溶接箇所１５において溶接することにより、リアフレーム専用台座１２をリアフレーム５に固定する。そして、図２（ｃ）に示すように、リアフレーム標準台座１１、リアフレーム専用台座１２の上に、ＰＣＢ４を載せ、固定ネジ１６によりネジ止めする。こうして、図２（ｄ）に示すように、ＰＣＢ４はリアフレーム５に固定される。
【００２０】
以上のような本実施の形態に係る液晶表示装置によれば、ＰＣＢ４の形状を変更しても、バックライトユニット３の構成部品の一つであるリアフレーム５の形状を変更することなく、リアフレーム専用台座１２の変更で対応することができる。そのため、リアフレーム５全体に係わるリアフレーム金型の変更もしくは新規作成などの対応を省くことができる。こうして、ＰＣＢ４の形状変更があった場合に、上述のような必要最小限の変更でＰＣＢ４をリアフレーム５に固定することができるため、リアフレーム５の汎用性が高まり、リアフレーム５の新規金型製作もしくは金型改造に掛かる費用を抑えることが可能になる。
【００２１】
また、本実施の形態に係る液晶表示装置では、リアフレーム専用台座１２を、溶接によりリアフレーム５に固定する。そのため、リアフレーム５に対するリアフレーム専用台座１２の固定を強固なものにすることができる。なお、本実施の形態では、図１に示したように、溶接箇所１５を３箇所設けた。しかし、これに限ったものではなく、１箇所以上設ければよく、必要とされる固定強度に応じて溶接箇所１５の数を決めればよい。
【００２２】
また、本実施の形態に係る液晶表示装置では、リアフレーム５の表面に位置決め用突起１３を設け、リアフレーム専用台座１２に位置決め用穴１４を設けている。これにより、リアフレーム専用台座１２を、リアフレーム５の所定の位置からずれることなく、簡単かつ正確に合わせることができる。また、これに限ったものではなく、リアフレーム専用台座１２に位置決め用突起を設け、リアフレーム５に位置決め用穴を設けてもよい。この場合も、リアフレーム専用台座１２を、リアフレーム５の所定の位置からずれることなく、簡単かつ正確に合わせることができる。なお、リアフレーム専用台座１２は、別方法、例えば、位置決め治具によっても位置合わせができるため、位置決め用突起１３、位置決め用穴１４は、必ずしも必要となるものではない。しかし、上述の効果により、設けられることが望ましい。
【００２３】
＜実施の形態２＞
図３は、本実施の形態に係る液晶表示装置を示す分解斜視図である。図に示すように、本実施の形態に係る液晶表示装置では、実施の形態１に係る液晶表示装置の位置決め用突起１３、位置決め用穴１４の代わりに、カシメ用突起１７、カシメ用穴１８が設けられている。以下、本実施の形態に係る液晶表示装置の構成のうち、実施の形態１と同一の構成については、同一の符号を付すものとし、新たに説明しない構成については、実施の形態１と同じであるものとする。
【００２４】
リアフレーム専用台座１２は、図３に示すように、貫通穴であるカシメ用穴１８が設けられている。一方、リアフレーム５の表面には、リアフレーム専用台座１２のカシメ用穴１８に挿入可能な突起であるカシメ用突起１７が設けられている。このカシメ用突起１７は、リアフレーム５にリアフレーム専用台座１２をかしめにて固定可能である。本実施の形態では、図３に示すように、カシメ用突起１７、カシメ用穴１８それぞれは、３箇所に設けている。
【００２５】
以上のような液晶表示装置において、ＰＣＢ４をリアフレーム５に固定する手順を図４を用いて説明する。まず、図４（ａ）に示すように、リアフレーム５と、リアフレーム専用台座１２と、ＰＣＢ４と、固定ネジ１６を準備する。そして、図４（ａ）に示す矢印のように、リアフレーム専用台座１２のカシメ用穴１８に、リアフレーム５のカシメ用突起１７を挿入し、リアフレーム専用台座１２をリアフレーム５に重ねる。このカシメ用突起１７とカシメ用穴１８により、リアフレーム専用台座１２を、リアフレーム５の所定の位置に合わせることができる。
【００２６】
次に、図４（ｂ）に示すように、リアフレーム専用台座１２と、リアフレーム５を組み合わせて、カシメ用突起１７の頭をかしめる（潰す）ことにより、リアフレーム５にリアフレーム専用台座１２をかしめにて固定する。そして、図４（ｃ）に示すように、リアフレーム標準台座１１、リアフレーム専用台座１２の上に、ＰＣＢ４を載せ、固定ネジ１６によりネジ止めする。こうして、図４（ｄ）に示すように、ＰＣＢ４はリアフレーム５に固定される。
【００２７】
以上のような本実施の形態に係る液晶表示装置によれば、実施の形態１と同様、ＰＣＢ４の形状を変更しても、バックライトユニット３のリアフレーム５の形状を変更することなく、リアフレーム専用台座１２だけの必要最小限の変更でＰＣＢ４をリアフレーム５に固定することができる。
【００２８】
また、本実施の形態に係る液晶表示装置によれば、リアフレーム５の表面にカシメ用突起１７を設け、リアフレーム専用台座１２にカシメ用穴１８を設けている。これにより、リアフレーム専用台座１２を、リアフレーム５の所定の位置からずれることなく、簡単かつ正確に合わせることができる。また、カシメ用突起１７により、リアフレーム専用台座１２を、リアフレーム５にかしめにて固定することができるため、実施の形態１で示した溶接作業を省くことができる。
【００２９】
なお、本実施の形態では、図３に示すように、カシメ用突起１７、カシメ用穴１８それぞれを３箇所に設けたが、これに限ったものではなく、これらを設ける箇所は、１箇所以上であればよい。しかしながら、かしめによる固定強度を確保しつつ、リアフレーム専用台座１２が、リアフレーム５の所定の位置から平面回転方向にずれるのを規制したい場合には、２箇所以上設けることが望ましい。
【図面の簡単な説明】
【００３０】
【図１】実施の形態１に係る液晶表示装置の構成を示す分解斜視図である。
【図２】実施の形態１に係る液晶表示装置を示す断面図である。
【図３】実施の形態２に係る液晶表示装置の構成を示す分解斜視図である。
【図４】実施の形態２に係る液晶表示装置を示す断面図である。
【図５】発明の前提となる液晶表示装置の構成を示す分解斜視図である。
【図６】発明の前提となる液晶表示装置を示す断面図である。
【符号の説明】
【００３１】
１  フロントフレーム、２  液晶パネル、３  バックライトユニット、４  プリント基板、５  リアフレーム、６  ＴＣＰ、７  リアフレーム台座、８  ミドルフレーム、９  光源、１０  導光板、１１  リアフレーム標準台座、１２  リアフレーム専用台座、１３  位置決め用突起、１４  位置決め用穴、１５  溶接箇所、１６  固定ネジ、１７  カシメ用突起、１８  カシメ用穴。
【図１】
2009058731.tif 000003
【図２】
2009058731.tif 000004
【図３】
2009058731.tif 000005
【図４】
2009058731.tif 000006
【図５】
2009058731.tif 000007
【図６】
2009058731.tif 000008